(57)【要約】【課題】時計の機種毎に指針の運針状態を解析して情報を携帯機器の表示部に表示できる携帯機器、情報表示方法、プログラム、システムの提供。【解決手段】携帯機器は、撮影対象を撮影して撮影画像を取得する撮影部と、情報を表示するディスプレイと、前記撮影部で指針を有する時計の表示部を撮影した撮影画像から前記時計の機種情報を取得する機種情報取得部と、前記機種情報に合致する時計情報を取得する時計情報取得部と、前記撮影画像から前記指針の運針状態を取得する運針状態取得部と、前記時計情報および前記運針状態に基づいて前記時計の状態を取得する時計状態取得部と、前記時計状態取得部で取得した前記時計の状態を前記ディスプレイに表示させる時計状態表示部と、を備えることを特徴とする。【選択図】図６
2020204544.tif 000002
【特許請求の範囲】
【請求項１】
撮影対象を撮影して撮影画像を取得する撮影部と、
情報を表示するディスプレイと、
前記撮影部で指針を有する時計の表示部を撮影した撮影画像から前記時計の機種情報を取得する機種情報取得部と、
前記機種情報に合致する時計情報を取得する時計情報取得部と、
前記撮影画像から前記指針の運針状態を取得する運針状態取得部と、
前記時計情報および前記運針状態に基づいて前記時計の状態を取得する時計状態取得部と、
前記時計状態取得部で取得した前記時計の状態を前記ディスプレイに表示させる時計状態表示部と、
を備えることを特徴とする携帯機器。
【請求項２】
請求項１に記載の携帯機器において、
前記機種情報取得部は、前記撮影画像から機種名を認識して前記機種情報を取得、または、前記撮影画像からブランド名と、時計デザインとを認識して前記機種情報を取得する
ことを特徴とする携帯機器。
【請求項３】
請求項１に記載の携帯機器において、
マイクを備え、
前記機種情報取得部は、前記マイクから入力された音声情報から機種名を認識する音声認識部を備えることを特徴とする携帯機器。
【請求項４】
請求項１から請求項３のいずれか一項に記載の携帯機器において、
前記運針状態は、前記指針の停止位置、または、前記指針の運針間隔および運針量を含む
ことを特徴とする携帯機器。
【請求項５】
請求項１から請求項４のいずれか一項に記載の携帯機器において、
前記時計の状態は、時刻ずれ、受信禁止モード、サマータイムの設定、電池残量、パワーセーブ、タイムゾーン、受信結果のいずれかを含む
ことを特徴とする携帯機器。
【請求項６】
請求項１から請求項５のいずれか一項に記載の携帯機器において、
前記時計状態表示部は、前記時計の状態に応じた操作ガイダンスを前記ディスプレイに表示する
ことを特徴とする携帯機器。
【請求項７】
請求項６に記載の携帯機器において、
ユーザーの操作を検出する操作検出部を備え、
前記時計状態表示部は、前記操作検出部で検出された操作によって前記ディスプレイに表示する前記操作ガイダンスを切り替える
ことを特徴とする携帯機器。
【請求項８】
指針を有する時計の表示部を撮影した撮影画像から前記指針の運針状態を取得するステップと、
前記時計の機種情報を取得するステップと、
前記機種情報に合致する時計情報を取得するステップと、
前記運針状態および前記時計情報に基づいて前記時計の状態を取得するステップと、
前記時計の状態をディスプレイに表示させるステップと、
を備えることを特徴とする情報表示方法。
【請求項９】
コンピューターを、
指針を有する時計の表示部を撮影した撮影画像から前記指針の運針状態を取得する運針状態取得部と、
前記時計の機種情報を取得する機種情報取得部と、
前記機種情報に合致する時計情報を取得する時計情報取得部と、
前記運針状態および前記時計情報に基づいて前記時計の状態を取得する時計状態取得部と、
前記時計状態取得部で取得した前記時計の状態をディスプレイに表示させる時計状態表示部と、して機能させることを特徴とするプログラム。
【請求項１０】
サーバーおよび携帯機器を含むシステムであって、
前記サーバーは、
前記携帯機器と通信する通信部と、
時計の機種情報および時計情報が記憶された機種情報記憶部と、
前記通信部によって前記携帯機器から受信した前記機種情報を、前記機種情報記憶部で検索し、前記機種情報に合致する時計情報を抽出して前記携帯機器に送信する時計情報検索部と、を備え、
前記携帯機器は、
前記サーバーと通信する通信部と、
撮影対象を撮影して撮影画像を取得する撮影部と、
情報を表示するディスプレイと、
前記撮影部で指針を有する前記時計の表示部を撮影した撮影画像から前記指針の運針状態を取得する運針状態取得部と、
前記時計の機種情報を取得する機種情報取得部と、
前記通信部によって前記機種情報を前記サーバーに送信し、前記サーバーから前記時計情報を受信して前記機種情報に合致する時計情報を取得する時計情報取得部と、
前記運針状態および前記時計情報に基づいて前記時計の状態を取得する時計状態取得部と、
前記時計状態取得部で取得した前記時計の状態を前記ディスプレイに表示させる時計状態表示部と、
を備えることを特徴とするシステム。
【発明の詳細な説明】
【技術分野】
【０００１】
本発明は、携帯機器、情報表示方法、プログラム、システムに関する。
【背景技術】
【０００２】
クロノグラフ時計や、電波時計、衛星信号を受信する時計などの多機能時計では、多機能であるが故に操作方法が複雑である。特に、アナログ時計では、指針のみで情報を表示しなければならず、時計がどのような状態であるかをユーザーが把握することが困難であり、時計を使いこなすことが難しかった。
そこで、特許文献１には、スマートフォン等の電子機器を用いて、時計の指針が指示する電池残量やメンテナンス時期をユーザーに分かりやすく表示する電子機器が開示されている。
【０００３】
特許文献１の電子時計は、秒針を２秒毎に２ステップ運針したり、１〜３の目盛や９〜１１の目盛を指示することで電圧低下を示し、３０秒毎に３０ステップ運針したり、６の目盛を指示することでメンテナンス時期を告知している。また、秒針の代わりに、長針や短針で電圧低下やメンテナンス時期を告知してもよいことも開示されている。
特許文献１の電子機器は、時計の指針を撮像する撮像部と、時計の指針が示す時計の状態を解析する解析部と、解析部の解析結果を示す表示部とを備え、前記秒針などの運針状態に基づいて、電圧低下やメンテナンス時期を知らせるメッセージを電子機器の表示部に表示している。
このため、特許文献１では、秒針や長針、短針を用いて電圧低下やメンテナンス時期を告知するため、一般的な三針の電子時計であれば利用できる。
【先行技術文献】
【特許文献】
【０００４】
【特許文献１】特開２０１６−５０８９２号公報
【発明の概要】
【発明が解決しようとする課題】
【０００５】
しかしながら、多機能時計では、サブダイヤルに設けられるモード針や小秒針等の複数の指針を備え、これらの指針で様々な情報を表示する。時計の機種によって各指針が示す情報は異なるが、特許文献１では時計の機種を判別していないため、機種によって異なる情報を指針が示す場合に、指針の運針状態を解析して前記各情報を電子機器の表示部に表示させることができなかった。
【課題を解決するための手段】
【０００６】
本開示の携帯機器は、撮影対象を撮影して撮影画像を取得する撮影部と、情報を表示するディスプレイと、前記撮影部で指針を有する時計の表示部を撮影した撮影画像から前記時計の機種情報を取得する機種情報取得部と、前記機種情報に合致する時計情報を取得する時計情報取得部と、前記撮影画像から前記指針の運針状態を取得する運針状態取得部と、前記時計情報および前記運針状態に基づいて前記時計の状態を取得する時計状態取得部と、前記時計状態取得部で取得した前記時計の状態を前記ディスプレイに表示させる時計状態表示部と、を備えることを特徴とする。
【０００７】
本開示の携帯機器において、前記機種情報取得部は、前記撮影画像から機種名を認識して前記機種情報を取得、または、前記撮影画像からブランド名と、時計デザインとを認識して前記機種情報を取得することが好ましい。
【０００８】
本開示の携帯機器において、マイクを備え、前記機種情報取得部は、前記マイクから入力された音声情報から機種名を認識する音声認識部を備えることが好ましい。
【０００９】
本開示の携帯機器において、前記運針状態は、前記指針の停止位置、または、前記指針の運針間隔および運針量を含むことが好ましい。
【００１０】
本開示の携帯機器において、前記時計の状態は、時刻ずれ、受信禁止モード、サマータイムの設定、電池残量、パワーセーブ、タイムゾーン、受信結果のいずれかを含むことが好ましい。
【００１１】
本開示の携帯機器において、前記時計状態表示部は、前記時計の状態に応じた操作ガイダンスを前記ディスプレイに表示することが好ましい。
【００１２】
本開示の携帯機器において、ユーザーの操作を検出する操作検出部を備え、前記時計状態表示部は、前記操作検出部で検出された操作によって前記ディスプレイに表示する前記操作ガイダンスを切り替えることが好ましい。
【００１３】
本開示の情報表示方法は、指針を有する時計の表示部を撮影した撮影画像から前記指針の運針状態を取得するステップと、前記時計の機種情報を取得するステップと、前記機種情報に合致する時計情報を取得するステップと、前記運針状態および前記時計情報に基づいて前記時計の状態を取得するステップと、前記時計の状態をディスプレイに表示させるステップと、を備えることを特徴とする。
【００１４】
本開示のプログラムは、コンピューターを、指針を有する時計の表示部を撮影した撮影画像から前記指針の運針状態を取得する運針状態取得部と、前記時計の機種情報を取得する機種情報取得部と、前記機種情報に合致する時計情報を取得する時計情報取得部と、前記運針状態および前記時計情報に基づいて前記時計の状態を取得する時計状態取得部と、前記時計状態取得部で取得した前記時計の状態をディスプレイに表示させる時計状態表示部と、して機能させることを特徴とする。
【００１５】
本開示のシステムは、サーバーおよび携帯機器を含むシステムであって、前記サーバーは、前記携帯機器と通信する通信部と、時計の機種情報および時計情報が記憶された機種情報記憶部と、前記通信部によって前記携帯機器から受信した前記機種情報を、前記機種情報記憶部で検索し、前記機種情報に合致する時計情報を抽出して前記携帯機器に送信する時計情報検索部と、を備え、前記携帯機器は、前記サーバーと通信する通信部と、撮影対象を撮影して撮影画像を取得する撮影部と、情報を表示するディスプレイと、前記撮影部で指針を有する前記時計の表示部を撮影した撮影画像から前記指針の運針状態を取得する運針状態取得部と、前記時計の機種情報を取得する機種情報取得部と、前記通信部よって前記機種情報を前記サーバーに送信し、前記サーバーから前記時計情報を受信して前記機種情報に合致する時計情報を取得する時計情報取得部と、前記運針状態および前記時計情報に基づいて前記時計の状態を取得する時計状態取得部と、前記時計状態取得部で取得した前記時計の状態を前記ディスプレイに表示させる時計状態表示部と、を備えることを特徴とする。
【図面の簡単な説明】
【００１６】
【図１】本実施形態のシステムの構成を示す図である。
【図２】前記実施形態のシステムで情報取得対象となる電子時計の一例を示す図である。
【図３】前記電子時計のサブダイヤルの一例を示す図である。
【図４】前記電子時計の裏蓋の一例を示す図である。
【図５】前記実施形態のシステムを構成するサーバーの構成例を示すブロック図である。
【図６】前記実施形態のシステムを構成する携帯機器の一例であるスマートフォンの構成を示すブロック図である。
【図７】前記実施形態における情報表示方法を示すフローチャートである。
【図８】前記情報表示方法における時計状態認識モードの処理を示すフローチャートである。
【図９】前記情報表示方法における認識失敗処理を示すフローチャートである。
【図１０】前記実施形態における携帯機器の画面表示例を示す図である。
【図１１】前記実施形態における携帯機器の画面表示例を示す図である。
【図１２】前記実施形態における携帯機器の画面表示例を示す図である。
【図１３】前記実施形態における携帯機器の画面表示例を示す図である。
【図１４】前記情報表示方法における受信結果表示処理を示すフローチャートである。
【図１５】前記実施形態における携帯機器の画面表示例を示す図である。
【図１６】前記実施形態における携帯機器の画面表示例を示す図である。
【図１７】前記情報表示方法における操作ガイダンスモードの処理を示すフローチャートである。
【図１８】前記実施形態における携帯機器の画面表示例を示す図である。
【図１９】前記実施形態における携帯機器の画面表示例を示す図である。
【発明を実施するための形態】
【００１７】
図１は、本実施形態に係るシステム１０の構成を示す図である。システム１０は、電子時計１と、携帯機器であるスマートフォン１００と、サーバー２００とを含む。スマートフォン１００は、移動体通信網や公衆無線ＬＡＮ（Local Area Network）などのネットワーク網を構成する基地局２１０およびインターネット網を介してサーバー２００と通信可能に構成されている。
【００１８】
［電子時計］
本実施形態の電子時計１は、地球の上空を所定の軌道で周回している複数のＧＰＳ衛星や準天頂衛星などの位置情報衛星からの衛星信号を受信して衛星時刻情報を取得し、内部時刻情報を修正できるように構成されている。さらに、電子時計１は、発電装置としてソーラーパネルを備え、ソーラーパネルで発電した電力を蓄電する二次電池を備える。
したがって、電子時計１は、太陽光などの光エネルギーを電気エネルギーに変換するソーラー機能と、位置情報衛星から受信した衛星信号に基づいて現在地時刻を表示する衛星電波修正機能とを備える。
【００１９】
電子時計１は、図２に示すように、文字板１１および外装ケース２を備える。外装ケース２は、略円筒状に形成されている。外装ケース２の表面側の開口には、ベゼル１４を介して開口を覆う表面ガラス３１が取り付けられている。外装ケース２の裏面側の開口には、図４に示す裏蓋５が取り付けられている。なお、以降の説明において、電子時計１を、文字板１１に垂直な方向であってカバーガラス側または裏蓋側から見ることを平面視という。
また、電子時計１は、文字板１１の平面中心より、２時方向の位置にＡボタン７１が設けられ、４時方向の位置にＢボタン７２が設けられ、３時方向の位置にりゅうず６が設けられている。これらのＡボタン７１、Ｂボタン７２、りゅうず６が操作されることにより、操作に応じた操作信号が出力される。
【００２０】
文字板１１は、ポリカーボネートなどの非導電性部材にて円板状に形成されている。文字板１１の平面中心には、文字板１１を貫通して設けられる指針軸４が配置され、この指針軸４には、指針である秒針３Ｂ、分針３Ｃ、時針３Ｄが取り付けられている。文字板１１の外周部には、ダイヤルリング３２が取り付けられている。
【００２１】
電子時計１は、４つの小窓（サブダイヤル）７７０、７８０、７９０、８００と、指針７７１、７８１、７９１、７９２、８０１とを備える多機能時計である。
第１小窓７７０および指針７７１は、文字板１１の平面中心に対して３時方向に設けられる。第２小窓７８０および指針７８１は、文字板１１の平面中心に対して９時方向に設けられる。第３小窓７９０および指針７９１、７９２は、文字板１１の平面中心に対して６時方向に設けられる。第４小窓８００および指針８０１は、文字板１１の平面中心に対して４時方向に設けられる。
文字板１１の平面中心に対して、４時と５時との間の方向に矩形の日窓５１が設けられている。文字板１１の裏面側には日車５５が配置され、日車５５は日窓５１から視認可能となっている。
【００２２】
第１小窓７７０には、中心角が約２８０度程度の円弧状に形成されたダイヤルリング７７２が取り付けられている。ダイヤルリング７７２には、指針７７１で指示される目盛、具体的には、アルファベット３文字で示す曜日が印刷などで表記されている。このため、指針７７１は曜日を指示する曜日針として機能する。
【００２３】
［モード表示用目盛］
第２小窓７８０には、円環状のダイヤルリング７８２が取り付けられている。ダイヤルリング７８２には、指針７８１で指示される目盛が印刷などで表記されている。具体的には、ダイヤルリング７８２には、図３にも示すように、パワーインジケーター７８３と、機内モードに設定されたことを示す飛行機マーク７８４と、衛星信号の受信モードを示す目盛７８５と、サマータイムの設定モードを示す目盛７８６とが表記されている。
パワーインジケーター７８３は、二次電池の電池残量を示すものであり、第２小窓７８０の９時位置から７時位置に渡って帯状に表記され、指針７８１は、パワーインジケーター７８３の９時位置、８時位置、７時位置のいずれかを指示する。ここで、指針７８１が９時位置を指示した場合は電池残量がFullつまり十分な残量であることを示し、８時位置を指示した場合は中くらいの残量であることを示し、７時位置を指示した場合はEmptyつまり残量が少ないことを意味する。
【００２４】
飛行機マーク７８４は、電子時計１が衛星信号の受信機能を禁止する機内モードに設定されていることを示すものであり、第２小窓７８０の１０時位置に表記される。
受信モードを示す目盛７８５は、第２小窓７８０の略１１時位置に「１」と表記されて測時モードを示す目盛７８５Ａと、１２時位置に「４＋」と表記されて測位モードを示す目盛７８５Ｂと、略１時位置に「LEAP SEC.」と表記されて、うるう秒情報を取得する受信モードを示す目盛７８５Ｃとを備える。
サマータイムの設定モードを示す目盛７８６は、第２小窓７８０の６時位置に「AUTO」と表記された目盛７８６Ａと、略５時位置に「ST」と表記された目盛７８６Ｂと、略４時位置に「DST」と表記された目盛７８６Ｃとを備える。目盛７８６Ａは、サマータイムを自動設定するAUTOモードを意味する。AUTOモードは、衛星信号から位置情報を取得した際に、サマータイムを実施している地域であれば自動的に夏時間に変更するモードである。
目盛７８６Ｂは、スタンダードモードを意味し、手動設定によって、常にスタンダードタイムを表示するモード、つまりサマータイムを解除するモードであることを意味する。目盛７８６Ｃは、DSTモードを意味し、手動設定によって、常にサマータイムを表示するモードを意味する。
【００２５】
第３小窓７９０には、図２に示すように、円環状のダイヤルリング７９３が取り付けられている。ダイヤルリング７９３は、ホームタイムやローカルタイムを指示する小時計用の時針７９１および分針７９２が指示する目盛が表記されている。
第４小窓８００には、指針７９１、７９２が指示する時刻の午前を示す「Ａ」と午後を示す「Ｐ」とが表記され、これらを指示する指針８０１はＡＭ／ＰＭ針として機能する。第４小窓８００は、第１小窓７７０に重なるように、ダイヤルリング７８２の切り欠き部分に配置されている。
【００２６】
［秒針による状態表示例−１］
本実施形態の電子時計１は、指針７８１がインジケーターの７時位置を指示している場合、秒針３Ｂの運針によって二次電池の残量をさらに細かく表示している。すなわち、秒針３Ｂは、二次電池の残量が低下し、衛星信号の受信処理は実行できないが、時刻表示は可能な残量レベルの場合は、通常の運針、具体的には１秒毎に１秒分つまり６度回転する運針を継続する。この状態からさらに電池残量が低下すると、秒針３Ｂは２秒運針つまり２秒毎に２秒分（１２度）回転する運針を行い、さらに電池残量が低下すると、秒針３Ｂでは５秒運針つまり５秒毎に５秒分（３０度）回転する運針を行う。
【００２７】
［秒針による状態表示例−２］
本実施形態の電子時計１は、ソーラーパネルによる発電が行われない状態が所定時間以上継続した場合にパワーセーブモードに移行し、このパワーセーブモードに移行したことを秒針３Ｂで表示する。
例えば、ソーラーパネルに光が当たらない状態が所定時間、例えば７２時間以上続いた場合、電子時計１は第１パワーセーブモードに移行し、秒針３Ｂは１５秒の位置で停止する。この際、分針３Ｃ、時針３Ｄ、日車５５、指針７７１、指針７９１、７９２は、前記条件に該当した時点で指示していた位置で停止する。また、衛星信号を自動受信する条件に該当した場合、例えば、予め設定された自動受信開始時刻になった場合でも、自動受信による時刻修正処理は実行しない。
【００２８】
また、充電不足の状態が長く続いた場合、電子時計１は第２パワーセーブモードに移行し、秒針３Ｂは４５秒の位置で停止する。この場合、指針７８１は、パワーインジケーター７８３の７時位置を指示する。また、分針３Ｃ、時針３Ｄは、前記条件に該当した時点で指示していた位置で停止する。また、日車５５は「１」に、指針７７１は「ＳＵＮ」に、指針７９１、７９２は、１２：００ＡＭを指示する位置で停止する。さらに、衛星信号を受信する手動操作を行っても受信を開始しない。
【００２９】
［電子時計の機種情報］
電子時計１の文字板１１には、電子時計１の機種を特定する情報が記載されている。すなわち、文字板１１において、指針軸４が配置された平面中心位置と、１２時の目盛との間には、電子時計１のブランドロゴマーク２１と、図２では省略しているが商品機能を示す文字が表記されている。本実施形態の電子時計１は、ＧＰＳ衛星信号を受信する機能を備えるため「ＧＰＳ」の文字が表記され、さらにソーラーパネルを備えるため「ＳＯＬＡＲ」の文字が表記されている。
また、第３小窓７９０には電子時計１の商品シリーズ名２２が表記され、文字板１１の５時および６時の目盛間には、電子時計１の型式番号２３が表記されている。
【００３０】
電子時計１に関する情報は、図４に示すように、裏蓋５にも記載されている。裏蓋５には、ブランドロゴマーク２１と、「ＧＰＳ」の文字２５と、「ＳＯＬＡＲ」の文字２６と型式番号２３とが表記されている。裏蓋５には、さらに、防水性能を示す文字２７や、耐磁性能を示す記号２８なども表記されている。
【００３１】
以上のように、多機能の電子時計１では、指針７８１や秒針３Ｂ等で複数の情報を表示するが、利用者は必ずしも各指針の指示する情報の意味を把握していない場合がある。これらの指針が指示する情報の意味は取扱説明書で説明されているものの、電子時計１の利用者が取扱説明書を常時持ち運んで確認できない場合もあるため、指示された情報をその都度確認できない場合もある。
そこで、本実施形態では、ユーザーが利用するスマートフォン１００と、スマートフォン１００がアクセスするサーバー２００を用いて各種情報を確認できるようにしている。
【００３２】
［サーバーの構成］
図５は、サーバー２００の構成を示す概略的なブロック図である。サーバー２００は、通信部２０１と、機種情報記憶部２０２と、時計情報検索部２０３とを備える。通信部２０１は、サーバー２００をインターネット等のネットワーク網に接続し、ネットワーク網を介してスマートフォン１００等の他の装置と通信する。
機種情報記憶部２０２は、電子時計の機種情報と、時計情報とが記憶されている。時計情報とは、各種の電子時計の取扱説明書等の情報である。
時計情報検索部２０３は、通信部２０１によってスマートフォン１００から受信した機種情報を、機種情報記憶部２０２で検索し、機種情報に合致する時計情報を抽出して通信部２０１を介してスマートフォン１００に送信する。
さらに、サーバー２００は、電子時計のメーカーが新機種を発売した際に、その機種情報および時計情報を、機種情報記憶部２０２に追加登録することができるように構成されている。
【００３３】
［スマートフォンの構成］
図６は、本実施形態に係るスマートフォン１００の構成を示す概略的なブロック図である。スマートフォン１００は、カメラ１１０、ディスプレイ１２０、タッチセンサー１３１、ボタン１３２、マイクロフォン１３３、スピーカー１３４、記憶部１４０、通信部１５０、および制御部１６０を備える。
【００３４】
カメラ１１０は、レンズ、イメージセンサー、および画像処理回路などを含み、レンズに入射した光学的な像をデジタル画像データに変換して出力する。カメラ１１０は、起動中には所定のフレームレートで連続的に画像データの出力を実行しており、このようにして出力される連続的な画像データをディスプレイ１２０に表示されることによっていわゆるライブビュー画像が提供される。本実施形態において、カメラ１１０は、電子時計１を被写体として含む画像を取得する撮影部である。
【００３５】
ディスプレイ１２０は、例えばＬＣＤ（Liquid Crystal Display）、または有機ＥＬ（Electro Luminescence）ディスプレイであり、制御部１６０から入力される画像データに従って様々な情報を画像として表示する。ディスプレイ１２０上にはタッチセンサー１３１が配置され、ディスプレイ１２０とタッチセンサー１３１とによってタッチスクリーンが構成される。本実施形態において、ディスプレイ１２０は、カメラ１１０によって取得された電子時計１を被写体として含むライブビュー画像とともに時計の状態を表示する。
【００３６】
タッチセンサー１３１およびボタン１３２は、ユーザーの操作に応じて操作信号を生成する。生成された操作信号は制御部１６０に入力される。操作信号に代えて、または操作信号とともに、マイクロフォン１３３が生成する音声信号が、ユーザーの操作入力を示す情報として制御部１６０に入力されてもよい。スピーカー１３４は、制御部１６０から出力された音声信号に従って様々な情報を音声として出力する。
【００３７】
記憶部１４０は、ＲＡＭやＲＯＭによって構成される。記憶部１４０は、制御部１６０によって実行されるプログラム、および当該プログラムの実行に用いられるデータなどを記憶する。本実施形態において、記憶部１４０は、サーバー２００から送信される時計情報を記憶できるように構成されている。
【００３８】
通信部１５０は、スマートフォン１００と他の装置との間の通信を実行するための通信回路やアンテナなどの装置を含む。例えば、通信部１５０は、移動体通信網や公衆無線ＬＡＮなどのネットワーク通信を実行して、インターネットなどのネットワーク網にスマートフォン１００を接続し、サーバー２００と通信する。
【００３９】
制御部１６０は、ＣＰＵ（Central Processing Unit）のようなプロセッサーによって構成される。制御部１６０は、記憶部１４０に記憶されたプログラムを実行することによって、スマートフォン１００の各部を制御する。本実施形態に係るプログラムが実行された場合、プログラムが実行されるコンピューターである制御部１６０は、以下で説明する機種情報取得部１６１、時計情報取得部１６２、運針状態取得部１６３、時計状態取得部１６４、時計状態表示部１６５、操作検出部１６６として機能する。
【００４０】
機種情報取得部１６１は、カメラ１１０が取得した撮影画像１２１に対する画像認識処理を実行し、撮影された電子時計１の機種情報を取得する。撮影画像１２１から機種情報を取得するための処理は、例えば、以下のように行われる。
機種情報取得部１６１は、撮影画像１２１において、型式番号２３を認識できた場合は、この型式番号を機種情報として取得する。すなわち、型式番号２３は、電子時計１の機種毎に決められた番号であり、この番号を取得すれば電子時計１の機種を特定することができる。
したがって、機種情報取得部１６１は、電子時計１の文字板１１の画像から文字認識処理を行い、型式番号２３を認識できた場合には機種番号として取得する。
また、型式番号２３は、図５に示すように、電子時計１の裏蓋５に表示されている場合も多いため、カメラ１１０で裏蓋５を撮影した場合も、機種情報取得部１６１は、型式番号を機種情報として取得する。
【００４１】
機種情報取得部１６１は、撮影画像１２１から型式番号２３を認識できない場合は、ブランド名、商品名、ソーラー等の搭載機能名、文字板１１における目盛や小窓の形状や配置位置、ボタンの数などの時計デザイン等の電子時計１の機種を特定するための情報を用いて機種情報を絞り込んで取得してもよい。すなわち、ブランド名、商品名、搭載機能名は、型式番号２３に比べて文字サイズが大きいため、容易に文字認識できる。したがって、機種情報取得部１６１は、ブランド名、商品名、搭載機能名などの文字認識データと、その他の時計デザインの情報とを組み合わせて機種情報を取得する。
【００４２】
さらに、機種情報取得部１６１は、ユーザーがマイクロフォン１３３を介して機種情報を音声入力した場合に、その音声情報を認識して機種情報を取得する音声認識部１６１Ａも備えている。
【００４３】
時計情報取得部１６２は、機種情報取得部１６１が取得した機種情報に合致する時計情報を取得する。時計情報取得部１６２は、通信部１５０によって取得した機種情報をサーバー２００に送信し、サーバー２００から対応する時計情報を受信し、記憶部１４０に記憶する。このため、記憶部１４０には、機種情報取得部１６１が取得した機種情報と、対応する時計情報とが記憶される。
なお、時計情報取得部１６２は、機種情報取得部１６１が取得した機種情報が記憶部１４０に記憶されているか否かを判断し、記憶されていない場合は、前述のとおり、サーバー２００から時計情報を受信して記憶部１４０に記憶し、記憶されている場合は、サーバー２００に機種情報を送信する処理を行わずに記憶部１４０に記憶されている時計情報を利用してもよい。
【００４４】
運針状態取得部１６３は、撮影画像１２１から各指針３Ｂ、３Ｃ、３Ｄ、７７１、７８１、７９１、７９２、８０１を認識し、各指針の運針状態を取得する。運針状態取得部１６３は、各指針の指示位置や、運針量、運針間隔などを認識する。このため、カメラ１１０で電子時計１を撮影する場合、所定のフレームレートでの動画で撮影している。なお、カメラ１１０での撮影は、動画に限らず、一定時間間隔、例えば１秒間隔や０．５秒間隔で撮影する静止画像でもよい。
また、機種情報取得部１６１で取得した機種情報に応じて、運針状態を取得する指針を一部の指針に限定してもよい。例えば、指針７９１、７９２、８０１で指示される小時計の時刻は、タイムゾーンの設定によって異なるため、正しい時刻を指示しているかを直ちに判断することが難しい。このため、運針状態取得部１６３は、指針７９１、７９２、８０１の運針状態は認識せず、他の指針の運針状態を認識してもよい。
時計状態取得部１６４は、時計情報取得部１６２で取得した時計情報と、運針状態取得部１６３で取得した運針状態に基づいて時計の状態を取得する。
時計状態表示部１６５は、時計状態取得部１６４で取得した時計の状態をディスプレイ１２０に表示させる。
操作検出部１６６は、タッチセンサー１３１およびボタン１３２などのスマートフォン１００に対するユーザーの操作を検出する。
【００４５】
［情報表示方法］
図７は、本実施形態における情報表示方法を示すフローチャートである。
ユーザーは、スマートフォン１００にインストールした情報表示用のアプリを起動するステップＳ１を実行する。スマートフォン１００の制御部１６０は、ステップＳ１を実行すると、インストールされたアプリのプログラムを実行し、以下に説明する各処理を実行する。
制御部１６０は、ステップＳ２のメニュー選択画面の表示処理を実行し、ディスプレイ１２０にメニュー選択画面を表示する。メニュー選択画面は、図示を省略するが、時計情報認識モードを実行するためのボタンと、操作ガイダンスモードを実行するためのボタンと、アプリを終了させる終了ボタンとが表示される。なお、メニュー選択画面には、必要に応じて他の機能ボタンを追加してもよい。
【００４６】
制御部１６０は、ディスプレイ１２０に表示されたボタンがタッチされて、時計情報認識モードが選択されたか否かを判定するステップＳ３の処理を実行する。
制御部１６０は、ステップＳ３でＹＥＳと判定すると、ステップＳ１０の時計状態認識モードを実行する。時計状態認識モードの詳細は後述する。
制御部１６０は、ステップＳ３でＮＯと判定すると、ディスプレイ１２０に表示されたボタンがタッチされて、操作ガイダンスモードが選択されたか否かを判定するステップＳ４の処理を実行する。
制御部１６０は、ステップＳ４でＹＥＳと判定すると、ステップＳ５０の操作ガイダンスモードを実行する。操作ガイダンスモードの詳細は後述する。
【００４７】
制御部１６０は、ステップＳ４でＮＯと判定すると、ディスプレイ１２０に表示されたボタンがタッチされて、アプリ終了操作が行われたか否かを判定するステップＳ５の処理を実行する。
制御部１６０は、ステップＳ５でＹＥＳと判定すると、情報表示用のアプリを終了するステップＳ６を実行する。
制御部１６０は、ステップＳ５でＮＯと判定するとステップＳ２のメニュー選択画面表示の処理に戻る。制御部１６０は、ステップＳ１０の時計状態認識モードや、ステップＳ５０の操作ガイダンスモードが終了した場合も、ステップＳ２のメニュー選択画面表示の処理に戻る。
【００４８】
［時計状態認識モード］
制御部１６０は、ステップＳ１０の時計状態認識モードを実行すると、図８に示すフローチャートを実行する。
制御部１６０の機種情報取得部１６１は、カメラ１１０を制御して電子時計１の表示部、つまり文字板１１および各指針３Ｂ〜３Ｄ、７７１、７８１、７９１、７９２、８０１等を動画で撮影するステップＳ１１を実行する。
機種情報取得部１６１は、ステップＳ１１で撮影した撮影画像を画像処理して電子時計１の機種情報を認識するステップＳ１２を実行する。
電子時計１は、機種毎に特定された型式番号２３が文字板１１に表記されている場合がある。このため、機種情報取得部１６１は、電子時計１の文字板１１に表記された型式番号２３を認識した場合、型式番号２３を機種情報として取得する。また、型式番号２３が文字板１１に表記されていない場合は、ブランドロゴマーク２１や、商品シリーズ名２２を認識し、電子時計１の機種を絞り込む。絞り込んだ場合に複数の機種が存在する場合は、機種情報取得部１６１は、サブダイヤルの有無やレイアウト、各指針の形状や本数、ボタン７１、７２の数や、りゅうず６の位置などを撮影した画像から認識し、該当する機種を特定する。
【００４９】
次に、制御部１６０は、機種情報取得部１６１によって機種情報の認識に成功したか否かを判定するステップＳ１３を実行する。
制御部１６０は、ステップＳ１３でＮＯと判定した場合、ステップＳ３０の機種情報の認識失敗処理を実行する。
制御部１６０は、認識失敗処理を実行すると、図９に示すように、ディスプレイ１２０に機種情報を認識できなかったことを表示する機種認識不可を表示するステップＳ３１の処理を実行する。具体的には、制御部１６０は、図１０に例示するように、ディスプレイ１２０に、「時計の機種名を認識できませんでした」とのメッセージ１２２と、３種類の操作メニュー１２３Ａ〜１２３Ｃとを表示する。操作メニュー１２３Ａは、再撮影用のメニューであり、操作メニュー１２３Ｂは音声入力用のメニューであり、操作メニュー１２３Ｃは入力キャンセル用のメニューである。ディスプレイ１２０に表示された操作メニュー１２３Ａ〜１２３Ｃをユーザーがタッチすると、タッチセンサー１３１によって入力される。
制御部１６０の操作検出部１６６は、操作メニュー１２３Ａが押されたか否かを判定するステップＳ３２を実行し、操作メニュー１２３Ａが押されて再撮影が選択されてステップＳ３２でＹＥＳと判定した場合は、ステップＳ１０の時計状態認識モードの処理に戻り、ステップＳ１１の動画撮影の処理から再度実行する。
【００５０】
制御部１６０の操作検出部１６６は、ステップＳ３２でＮＯと判定した場合は、ステップＳ３３で操作メニュー１２３Ｂが押されたか否かを判定する。制御部１６０は、操作メニュー１２３Ｂが押されて音声入力が選択されてステップＳ３３でＹＥＳと判定した場合は、ステップＳ３４を実行し、マイクロフォン１３３を作動して機種番号の音声入力を実行する。
次に、機種情報取得部１６１は、音声入力された音声情報を音声認識して得られた機種番号に基づき時計の機種情報を取得するステップＳ３５を実行する。なお、ステップＳ３５における音声認識は、スマートフォン１００の制御部１６０の音声認識部１６１Ａで実行しているが、これに限らない。すわなち、制御部１６０に音声認識部１６１Ａを設けずに、サーバー２００に音声認識部を設けてもよい。この場合、機種情報取得部１６１は、サーバー２００に音声ファイルを送信し、サーバー２００において音声認識した結果をスマートフォン１００で受信し、機種情報取得部１６１は音声認識結果の機種番号を機種情報として取得してもよい。
【００５１】
ステップＳ３５の実行後、制御部１６０は、現在のモードが、時計状態認識モードおよび操作ガイダンスモードのいずれであるかを判定するステップＳ３６を実行する。制御部１６０は、現在のモードが時計状態認識モードであれば、ステップＳ３６でＹＥＳと判定し、後述する操作ガイダンスモードであれば、ステップＳ３６でＮＯと判定する。
制御部１６０は、ステップＳ３６でＹＥＳと判定した場合、認識失敗処理を終了して図８に戻り、ステップＳ１３を実行し、機種情報の取得に成功したか、つまり音声認識による機種番号の認識に成功したかを判定する。現在のモードが操作ガイダンスモードの場合は、詳細は後述するが同様に処理する。
制御部１６０は、音声入力によっても認識に失敗し、ステップＳ１３で再度ＮＯと判定した場合は、ステップＳ３０の認識失敗処理を実行する。
図９に戻り、制御部１６０は、ステップＳ３３でＮＯと判定した場合は、ステップＳ３７の操作メニュー１２３Ｃが押されたか否かを判定する。制御部１６０は、操作メニュー１２３Ｃが押されてキャンセル入力が選択されてステップＳ３７でＹＥＳと判定した場合は、図７のステップＳ２に戻り、メニュー選択画面の表示処理を実行する。また、制御部１６０は、ステップＳ３７でＮＯと判定した場合、つまりいずれの操作メニュー１２３Ａ〜１２３Ｃも押されていない場合は、ステップＳ３１に戻り、図１０の表示を継続する。
【００５２】
図８に戻り、ステップＳ１３でＹＥＳと判定した場合の処理について説明する。
制御部１６０がステップＳ１３でＹＥＳと判定した場合、時計情報取得部１６２は、機種情報取得部１６１で取得した機種情報に合致する時計情報をサーバー２００または記憶部１４０から取得するステップＳ１４を実行する。時計情報取得部１６２は、以前に同機種の時計情報をサーバー２００から取得して記憶部１４０に記憶済みの場合は、記憶部１４０から時計情報を取得し、記憶部１４０に記憶されていない場合は、サーバー２００から時計情報をダウンロードして記憶部１４０に記憶する。また、取得する時計情報は、少なくとも、運針状態取得部１６３、時計状態取得部１６４で、指針の運針状態や時計の状態の取得や表示に必要な情報を含む。すなわち、時計の機種によって、各指針の役割が異なる。例えば、機種によっては、クロノグラフ秒針がセンター針として設けられ、秒針がサブダイヤルに設けられた小秒針の場合もある。また、設定されたモード針が設けられる位置も機種によって異なる場合がある。したがって、時計情報取得部１６２は、機種情報に基づいて電子時計１の各指針の役割や、配置位置などを特定する。
【００５３】
運針状態取得部１６３は、撮影画像を処理して、各指針の運針状態を取得するステップＳ１５を実行する。運針状態取得部１６３は、各指針が指示している位置や、運針量や運針間隔などを取得する。
指針の指示位置の取得方法は、例えば、指針が指示する目盛を認識して目盛の位置から指針の指示位置を判断して取得してもよいし、指針の基準位置、例えば１２時方向の目盛を指示する位置に対する回転角度位置から指針の指示位置を判断して取得してもよい。
運針量や運針間隔は、動画の撮影画像を処理することで取得できる。例えば、秒針３Ｂが、１秒毎に１目盛分移動していれば正常に運針していることが取得できる。また、秒針３Ｂが、１目盛分移動する時間が１秒以上であったり、１秒未満であれば、運針制御に異常があることを取得でき、秒針３Ｂが２秒毎に２目盛分移動したり、５秒毎に５目盛分移動していれば、２秒運針や５秒運針などの特殊な運針を行っていることを取得できる。
【００５４】
制御部１６０の時計状態取得部１６４は、時計情報取得部１６２で取得した時計情報と、運針状態取得部１６３で取得した運針状態に基づいて電子時計１の状態を取得するステップＳ１６を実行する。電子時計１の状態とは、秒針３Ｂ、分針３Ｃ、時針３Ｄ、日車５５が指示する時刻情報や、指針７８１が指示するモード等である。
【００５５】
次に、制御部１６０は、時計状態取得部１６４が取得した電子時計１が指示する時刻情報と、スマートフォン１００の内部時刻情報とを比較するステップＳ１７を実行する。ステップＳ１７を実行するのは以下の理由である。すなわち、電子時計１では、正確な時刻を表示することが最重要である。また、スマートフォン１００は、基地局２１０との通信時に精度の高い時刻情報を取得できる。
このため、制御部１６０は、ステップＳ１７を実行し、スマートフォン１００の内部時刻を基準に、電子時計１の指針３Ｂ〜３Ｄが指示する時刻を比較し、時刻のズレ量が大きいか否かを判定するステップＳ１８を実行する。なお、ステップＳ１８において、ズレ量が大きいと判定する閾値は適宜設定できるが、例えば、スマートフォン１００の内部時刻に対し、電子時計１の指示時刻が２分以上ずれている場合に、制御部１６０はＹＥＳと判定する。
【００５６】
制御部１６０は、ステップＳ１８でＮＯと判定した場合、時計状態表示部１６５によってディスプレイ１２０に時計状態を表示するステップＳ１９を実行する。時計状態表示部１６５による時計状態の表示例を図１１〜図１３に示す。
時計状態表示部１６５は、図１１に示すように、スマートフォン１００の時刻表示の下に「状態表示モード」であることを表示し、さらにその下の表示時刻画面１２４に、撮影画像から認識した電子時計１のメイン時計の時刻情報を表示する。電子時計１には、指針３Ｂ〜３Ｄで指示するメイン時計の時刻表示と、第３小窓７９０の指針７９１、７９２で指示する小時計の時刻表示とがあり、表示時刻画面１２４にはメイン時計の時刻情報を表示している。
このため、時計状態表示部１６５は、指針３Ｂ〜３Ｄで指示する時刻と、指針７７１が指示する曜日と、日車５５が指示する日付とを、表示時刻画面１２４に表示する。また、時計状態表示部１６５は、認識した時刻情報と、スマートフォン１００の内部時刻との比較結果のメッセージを表示時刻画面１２４に表示する。ユーザーは、表示時刻画面１２４を見ることで、電子時計１が正しい時刻が指示しているか否かを簡単に把握できる。
【００５７】
スマートフォン１００のディスプレイ１２０には、カメラ１１０で撮影した電子時計１の撮影画像１２１も表示されている。
時計状態表示部１６５は、撮影画像１２１の下側に、指針７８１の指示情報を状態表示画面１２５として表示する。図１１の例では、指針７８１は、パワーインジケーター７８３の中レベルを指示しているため、時計状態表示部１６５は、エネルギー残量が中レベルであることと、ユーザーに対する注意事項とを、状態表示画面１２５に表示する。
図１２の例では、指針７８１は、飛行機マーク７８４を指示しているため、時計状態表示部１６５は、状態表示画面１２５に、機内モード中であることと、機内モードに関する説明とを表示する。
図１３の例は、電子時計１のメイン時計の時刻と、スマートフォン１００の内部時刻とが約１分ずれていた場合の表示例である。時計状態表示部１６５は、表示時刻画面１２４において、時刻が１分ずれていることを表示する。また、図１３の例では、指針７８１は、パワーインジケーター７８３の低レベルを指示しているため、時計状態表示部１６５は、状態表示画面１２５に、エネルギー残量が少ないことと、ユーザーに対する注意事項とを表示する。
時計状態表示部１６５は、指針７８１が他の目盛を指示している場合は、その指示位置に応じた情報を状態表示画面１２５に表示する。
【００５８】
制御部１６０は、図８に示すように、ステップＳ１８でＹＥＳと判定した場合、ステップＳ４０の受信結果表示処理を実行する。本実施形態の電子時計１は、ＧＰＳ衛星から衛星信号を受信して電子時計１の内部時刻を修正するため、受信に成功していれば正しい時刻を表示する。ステップＳ１８でＹＥＳと判定した場合は、衛星信号を受信できていないために表示時刻がずれている可能性がある。このため、本実施形態では、制御部１６０は、時刻のズレが大きい場合、例えば２分以上ずれている場合は、ステップＳ４０の受信結果表示処理を実行する。
図１４は、受信結果表示処理のフローチャートである。受信結果表示処理を実行すると、制御部１６０の時計状態表示部１６５は、図１５に示すように、表示時刻画面１２４を表示すると共に、撮影画像１２１に対応して受信結果を確認するための操作ガイダンス１２６を表示する。この操作ガイダンス１２６は、操作ガイダンスモードにおいても表示可能な時計情報であり、本実施形態の時計状態表示部１６５は、時計状態取得部１６４で取得した時計の状態によっては、その時計の状態に応じた操作ガイダンスをディスプレイ１２０に表示する。
本実施形態の電子時計１は、Ａボタン７１を押して離すことで、受信結果を表示するため、時計状態表示部１６５は、操作ガイダンス１２６に、「ボタンＡを押して離す」との操作方法を表示する。
【００５９】
次に、制御部１６０は、カメラ１１０を作動して電子時計１の表示部の動画を撮影するステップＳ４２を実行する。この撮影中に、操作ガイダンス１２６を読んだユーザーが、受信結果を表示させる操作を実行すると、受信結果を表示する指針、本実施形態では秒針３Ｂが受信結果を指示する位置に移動する。
運針状態取得部１６３および時計状態取得部１６４は、撮影画像を処理して、秒針３Ｂの運針状態、具体的には停止位置を認識するステップＳ４３を実行する。
時計状態取得部１６４は、秒針３Ｂの停止位置によって、受信結果が成功であるか失敗であるかを判定するステップＳ４４を実行する。本実施形態の電子時計１は、受信成功時は、秒針３Ｂを文字板１１に「Ｙ」と表記された８秒位置に移動し、受信失敗時は、秒針３Ｂを「Ｎ」と表記された５２秒位置に移動する。このため、時計状態取得部１６４は、秒針３Ｂが８秒位置に停止していれば、受信結果が成功であるため、ステップＳ４４ではＹＥＳと判定する。また、時計状態取得部１６４は、秒針３Ｂが５２秒位置に停止していれば、受信結果が失敗であるため、ステップＳ４４ではＮＯと判定する。
【００６０】
時計状態表示部１６５は、時計状態取得部１６４がステップＳ４４でＮＯと判定すると、図１６に示すように、状態表示画面１２５に、秒針３Ｂが５２秒位置にあり、受信ができていないことと、対処方法とを表示するステップＳ４５を実行する。
時計状態表示部１６５は、時計状態取得部１６４がステップＳ４４でＹＥＳと判定すると、図示は省略するが、状態表示画面１２５に、秒針３Ｂが８秒位置にあり、受信ができていることを表示するステップＳ４６を実行する。
【００６１】
電子時計１の秒針３Ｂは、一定時間、例えば５秒間、受信結果を表示した後、時刻表示に戻る。このため、秒針３Ｂが時刻表示に戻ると、ステップＳ４５、Ｓ４６の受信結果の表示処理も終了する。
以上によりステップＳ４０の受信結果表示処理を終了すると、図８に戻り、ステップＳ１０の時計状態認識モードも終了し、図７に戻り、ステップＳ２のメニュー選択画面表示処理に戻る。
【００６２】
次に、ユーザーがメニュー選択画面で操作ガイダンスモードを選択した場合の処理について説明する。
ステップＳ２で表示されたメニュー選択画面において、ユーザーが操作ガイダンスモードを選択すると、制御部１６０は、ステップＳ３でＮＯと判定し、ステップＳ４でＹＥＳと判定する。
制御部１６０は、ステップＳ４でＹＥＳと判定すると、図１７に示すステップＳ５０の操作ガイダンスモードを実行する。
制御部１６０は、操作ガイダンスモードを実行すると、図１７に示すように、ステップＳ５１の時計表示の動画撮影処理、ステップＳ５２の時計の機種情報取得処理、ステップＳ５３の認識成功判定処理を実行する。これらのステップＳ５１〜Ｓ５３は、図８に示す時計状態認識モードのステップＳ１１〜Ｓ１３と同じ処理であるため説明を省略する。
制御部１６０は、ステップＳ５３でＮＯと判定した場合、前述したステップＳ３０の認識失敗処理を実行する。図９に示す認識失敗処理は、操作ガイダンスモード中であるため、ステップＳ３６でＮＯと判定し、図１７のステップＳ５３に戻る点を除けば、前述した時計状態認識モード中での認識失敗処理と同じであるため、説明を省略する。
【００６３】
制御部１６０の時計情報取得部１６２は、ステップＳ５３でＹＥＳと判定すると、認識された機種のガイダンス情報を時計情報としてサーバー２００から取得するステップＳ５４を実行する。なお、時計情報取得部１６２は、認識された機種のガイダンス情報を既に取得して記憶部１４０に記憶している場合は、記憶部１４０から取得してもよい。
ここで、ガイダンス情報とは、電子時計１のマニュアルに相当する情報であり、ユーザーが電子時計１で操作する場合の操作ガイドとなる情報などが含まれる。
制御部１６０は、電子時計１の機種に対応するガイダンス情報を取得すると、目次となるガイダンスメニューを表示するステップＳ５５を実行する。この際、キーワード検索用の入力欄を設けてもよい。
【００６４】
制御部１６０は、ステップＳ５５で表示されたメニューの選択操作が行われたか否かを判定するステップＳ５６を実行する。ステップＳ５６でＮＯと判定した場合は、ステップＳ５７を実行し、ディスプレイ１２０に表示される終了ボタンが操作されたか否かを判定する。
制御部１６０は、ステップＳ５７でＹＥＳと判定すると、操作ガイダンスモードを終了し、図７のステップＳ２のメニュー選択画面表示処理に戻る。
制御部１６０は、ステップＳ５７でＮＯと判定すると、ステップＳ５５に戻り、処理を継続する。
【００６５】
制御部１６０は、ステップＳ５６でＹＥＳと判定すると、メニュー選択操作に応じてガイダンスを表示するステップＳ５８を実行する。例えば、ガイダンスメニューにおいて、「小時計の時計を合わせる」という項目を選択した場合、制御部１６０は、図１８に示すように、選択された項目に対応する操作ガイダンス１２６と、３種類の操作メニュー１２７Ａ〜１２７Ｃをディスプレイ１２０に表示する。
操作メニュー１２７Ａは、操作ガイダンス１２６を次の画面に切り替えるボタンであり、操作メニュー１２７Ｂは、操作ガイダンス１２６の前の画面に切り替えるボタンであり、操作メニュー１２７Ｃは、操作ガイダンス１２６の表示を終了するボタンである。
【００６６】
制御部１６０は、操作メニュー１２７Ａが押されたか否かを判定するステップＳ５９を実行し、操作メニュー１２７Ａが押されてステップＳ５９でＹＥＳと判定した場合は、次画面の表示データを取得するステップＳ６０を実行し、ステップＳ５６で次画面のガイダンスを表示する。
制御部１６０は、ステップＳ５９でＮＯと判定した場合は、操作メニュー１２７Ｂが押されたか否かを判定するステップＳ６１を実行し、操作メニュー１２７Ｂが押されてステップＳ６１でＹＥＳと判定した場合は、前画面の表示データを取得するステップＳ６２を実行し、ステップＳ５６で前画面のガイダンスを表示する。
制御部１６０は、ステップＳ６１でＮＯと判定した場合は、操作メニュー１２７Ｃが押されたか否かを判定するステップＳ６３を実行する。制御部１６０は、ステップＳ６３でＮＯと判定した場合は、ステップＳ５８に戻り、操作メニュー１２７Ｃが押されてステップＳ６３でＹＥＳと判定した場合は、ステップＳ５５に戻り、処理を継続する。
例えば、制御部１６０は、図１８の操作ガイダンス１２６が表示されている状態で、操作メニュー１２７Ａが押されたことを検出すると、操作ガイダンスの次画面をサーバー２００や記憶部１４０から取得し、ディスプレイ１２０に図１９の操作ガイダンス１２６を表示する。
したがって、電子時計１のユーザーは、スマートフォン１００のディスプレイ１２０に表示される操作ガイダンス１２６を見ながら、電子時計１を操作することができ、操作性を向上できる。
【００６７】
［実施形態の効果］
本実施形態では、機種情報取得部１６１によって、電子時計１の文字板１１および各指針３Ｂ〜３Ｄ、７７１、７８１、７９１、７９２、８０１を撮影した撮影画像から時計の機種情報を取得し、時計情報取得部１６２によって、機種情報の合致する時計情報を取得しているので、機種によって指針の機能が異なる場合でも、各指針の機能を正確に特定できる。このため、運針状態取得部１６３で取得した運針状態と、前記時計情報とで、各指針が指示する情報などの時計の状態を時計状態取得部１６４で取得でき、時計状態表示部１６５でスマートフォン１００のディスプレイ１２０に表示できる。
このため、ユーザーは、スマートフォン１００でアプリを起動して電子時計１を撮影するだけで、多機能時計において各指針がどのような情報を指示しているかを容易に把握でき、利便性を向上できる。また、ユーザーは、複雑な機能を有する多機能時計を容易に使いこなすことができ、電子時計１の商品価値を向上できる。
【００６８】
機種情報取得部１６１は、文字板１１に表記されたブランドロゴマーク２１、商品シリーズ名２２、型式番号２３を認識して機種情報を取得できるため、機械式時計を含むすべてのアナログ時計において機種を特定できる。例えば、電子時計にBluetooth Low Energy等の無線通信機能を内蔵させてスマートフォン１００と通信可能に構成し、電子時計からスマートフォン１００に機種情報を送信し、スマートフォン１００で機種情報を取得できるようにすることもできる。しかしながら、このような方式を採用すると、スマートフォン１００が機種情報を取得できるのは、通信機能を内蔵する電子時計のみであり、機械式時計や、通信機能を内蔵していない電子時計では利用できない。これに対し、本実施形態では、ブランドロゴマーク２１、商品シリーズ名２２、型式番号２３等をスマートフォン１００で撮影することで機種情報を取得できるので、通信機能を内蔵する電子時計に限定されず、機械式時計を含む、従来からあるすべてのアナログ腕時計において利用可能である。このため、ユーザーは、スマートフォン１００を用いることで、従来からあるすべてのアナログ時計の操作方法や各指針の指示情報を簡単に知ることができる。
また、機種情報取得部１６１は、型式番号２３で機種情報を特定する方法だけではなく、ブランドロゴマーク２１や商品シリーズ名２２等の型式番号２３以外の情報から機種情報を取得できるため、型式番号２３を認識できない場合でも機種情報を取得できる。
【００６９】
さらに、機種情報取得部１６１は、音声認識部１６１Ａを備え、音声認識によっても機種情報を入力できるため、暗闇などで電子時計１の文字板１１を撮影したため、ブランドロゴマーク２１等を撮影画像から認識できない場合でも、音声入力を行うことで確実に機種情報を取得できる。
【００７０】
時計状態取得部１６４は、時計の状態として、時刻のずれと、指針７８１の指示位置によって取得できる受信禁止モード、サマータイムの設定、電池残量と、秒針３Ｂによるパワーセーブの状態、受信結果とを取得でき、時計状態表示部１６５で表示できる。このため、ユーザーは様々な時計の情報を容易に把握できる。さらに、電子時計１は、秒針３Ｂがベゼル１４に記載された都市名を指示することで、タイムゾーンの設定情報も表示でき、このタイムゾーン設定情報も時計の状態として取得、表示できる。
【００７１】
制御部１６０は、ディスプレイ１２０に表示された操作ガイダンスを、操作メニュー１２７Ａ、１２７Ｂをタップすることで切り替えて表示できるので、ユーザーは時計の操作方法を１ステップずつ確認でき、正しく操作することができる。
【００７２】
時計の機種情報および時計情報をサーバー２００の機種情報記憶部２０２に記憶しているので、時計の新機種が発売された場合に新たな機種情報および時計情報を機種情報記憶部２０２に登録することができる。これにより、新機種の発売直後から、スマートフォン１００で新しい時計の情報を取得、表示でき、ユーザーの利便性を向上できる。
【００７３】
スマートフォン１００の記憶部１４０に時計情報を記憶できるので、サーバー２００から取得した時計情報を記憶部１４０に記憶すれば、スマートフォン１００がサーバー２００にアクセスできない状態でも、電子時計１の時計情報をディスプレイ１２０に表示できる。このため、飛行機内のように、外部インターネットへの接続が制限されている環境においてもスマートフォン１００で電子時計１の状態や操作ガイダンスを確認でき、利便性を向上できる。
【００７４】
運針状態取得部１６３は、指針の運針状態を動画や一定間隔で撮影された静止画を用いて認識するため、運針状態を精度よく認識できる。
【００７５】
なお、本発明は前記実施形態に限定されず、本発明の要旨の範囲内で種々の変形実施が可能である。
例えば、前記実施形態では、機種情報取得部１６１は、電子時計１の文字板１１に表記されたブランドロゴマーク２１、商品シリーズ名２２、型式番号２３から機種情報を取得していたが、裏蓋５を撮影して機種情報を取得してもよい。すなわち、機種情報取得部１６１による機種情報の取得時には裏蓋５を撮影し、運針状態取得部１６３による運針状態の取得時は文字板１１側の各指針３Ｂ〜３Ｄ、７７１、７８１、７９１、７９２、８０１を撮影してもよい。
【００７６】
前記実施形態では、スマートフォン１００は、機種情報および時計情報をサーバー２００の機種情報記憶部２０２から取得していたが、サーバー２００を設けずに、スマートフォン１００の記憶部１４０に記憶してもよい。例えば、電子時計１の販売時に、その電子時計１の機種情報や時計情報と、アプリ用のプログラムとが記憶されたＵＳＢメモリーなどを購入者に提供し、スマートフォン１００の記憶部１４０に記憶させることで、サーバー２００を用いずに時計情報を表示するようにしてもよい。
【００７７】
携帯機器としてスマートフォン１００を例示したが、タブレットやウェアラブル装置など、携帯可能な様々な携帯機器を利用してもよい。
また、撮影対象となる時計は、電子時計に限定されず、機械式時計や電気制御式機械時計などの様々なアナログ時計を用いることができる。
【符号の説明】
【００７８】
１…電子時計、２…外装ケース、３Ｂ…秒針、３Ｃ…分針、３Ｄ…時針、４…指針軸、５…裏蓋、６…りゅうず、１０…システム、１１…文字板、１４…ベゼル、２１…ブランドロゴマーク、２２…商品シリーズ名、２３…型式番号、２５、２６、２７…文字、３１…表面ガラス、３２…ダイヤルリング、５１…日窓、５５…日車、７１…Ａボタン、７２…Ｂボタン、１００…スマートフォン、１１０…カメラ、１２０…ディスプレイ、１２１…撮影画像、１２２…メッセージ、１２３Ａ、１２３Ｂ、１２３Ｃ…操作メニュー、１２４…表示時刻画面、１２５…状態表示画面、１２６…操作ガイダンス、１２７Ａ、１２７Ｂ、１２７Ｃ…操作メニュー、１３１…タッチセンサー、１３２…ボタン、１３３…マイクロフォン、１３４…スピーカー、１４０…記憶部、１５０…通信部、１６０…制御部、１６１…機種情報取得部、１６１Ａ…音声認識部、１６２…時計情報取得部、１６３…運針状態取得部、１６４…時計状態取得部、１６５…時計状態表示部、１６６…操作検出部、２００…サーバー、２０１…通信部、２０２…機種情報記憶部、２０３…時計情報検索部、２１０…基地局、７７０…第１小窓、７７１…指針、７７２…ダイヤルリング、７８０…第２小窓、７８１…指針、７８２…ダイヤルリング、７８３…パワーインジケーター、７８４…飛行機マーク、７８５、７８５Ａ、７８５Ｂ、７８５Ｃ、７８６、７８６Ａ、７８６Ｂ、７８６Ｃ…目盛、７９０…第３小窓、７９１…時針、７９２…分針、７９３…ダイヤルリング、８００…第４小窓、８０１…指針。
【図１】
2020204544.tif 000003
【図２】
2020204544.tif 000004
【図３】
2020204544.tif 000005
【図４】
2020204544.tif 000006
【図５】
2020204544.tif 000007
【図６】
2020204544.tif 000008
【図７】
2020204544.tif 000009
【図８】
2020204544.tif 000010
【図９】
2020204544.tif 000011
【図１０】
2020204544.tif 000012
【図１１】
2020204544.tif 000013
【図１２】
2020204544.tif 000014
【図１３】
2020204544.tif 000015
【図１４】
2020204544.tif 000016
【図１５】
2020204544.tif 000017
【図１６】
2020204544.tif 000018
【図１７】
2020204544.tif 000019
【図１８】
2020204544.tif 000020
【図１９】
2020204544.tif 000021